(57)【要約】      （修正有）【課題】レンズ構成が簡易でコンパクトでありながら４０〜５０倍程度のズーム比を有し、前玉径の小型を図り、カメラの厚み方向と横幅方向共にコンパクトなボディに収納出来るズームレンズを提供する。【解決手段】物体側より正の第１群、負の第２群、第３群、後続群を有し、第３群の像側は複数の群で構成され少なくとも１つの負群を有する。第１群は少なくとも１枚の負レンズと３枚の正レンズを含み、正レンズのうち１枚は以下の条件式を満足する非球面を有する高分散硝材で構成される。１０＜ｆ１ｈｐ／ｆ１＜３５・・・（１）、１５＜ν１ｈｐ＜２１・・・（２）、ｆ１ｈｐ：第１群中の非球面を有する高分散硝材からなる正レンズの焦点距離、ν１ｈｐ：第１群中の非球面を有する高分散硝材からなる正レンズのアッベ数、ｆ１：第１群の焦点距離【選択図】図１
2016102847.tif 000002
【特許請求の範囲】
【請求項１】
物体側より正の第１群、負の第２群、第３群、後続群を有し、
第３群の像側は複数の群で構成され少なくとも１つの負群を有すると共に各群の空気間隔を変化させて変倍を行うレンズ系において、
前記第１群は少なくとも１枚の負レンズと３枚の正レンズを含み、正レンズのうち１枚は以下の条件式を満足する非球面を有する高分散硝材で構成されることを特徴とするズームレンズ。
１０  ＜  ｆ１ｈｐ／ｆ１  ＜３５        ・・・（１）
１５  ＜  ν１ｈｐ  ＜２１            ・・・（２）
ｆ１ｈｐ：第１群中の非球面を有する高分散硝材からなる正レンズの焦点距離
ν１ｈｐ：第１群中の非球面を有する高分散硝材からなる正レンズのアッベ数
ｆ１：第１群の焦点距離
【請求項２】
前記レンズ系において前記第３群は、ズーミング中はセンサーに対して固定のレンズ群で有ることを特徴とする請求項１に記載のズームレンズ。
【請求項３】
前記レンズ系において第１群中の高分散材からなる正レンズの像側面に非球面を有し以下の条件式を満足することを特徴とする請求項１又は請求項２に記載のズームレンズ。
−８×１０＾−０６    ＜  ｄ１＿０８ｙ／ｆ１＜    −２×１０＾−０７
・・・（３）
ｄ１＿０８ｙ：有効径の８割位置における非球面のＸ座標と近軸ＲのＸ座標の差（非球面が物体側で符号はマイナス）
【請求項４】
前記レンズ系において物体側より正の第１群、負の第２群、光路を９０度折り曲げるプリズムを含むズーミング中はセンサーに対して固定のレンズ群を有することを特徴とする請求項１乃至請求項３の何れか一項に記載のズームレンズ。
【請求項５】
前記レンズ系において、前記第１群は物体側より負の第１１レンズ、正の第１２レンズ、正の第１３レンズ、正の第１４レンズの４枚からなり
前記第４レンズを高分散硝材で構成すると共に、前記第４レンズは以下の条件式を満足する請求項１乃至請求項４の何れか一項に記載のズームレンズ。
１５０  ＜  ｆ１４ｐ／ｆｗ  ＜  ４００      ・・（４）
ｆ１４Ｐ：正の第１４レンズの焦点距離
ｆｗ：広角端における全系の焦点距離
【請求項６】
前記レンズ系において広角端から望遠端へのズーミング中第１群は物体側へ移動し第２群は像側へ移動し第３群は光路を９０度折り曲げるプリズムを含むと共に以下の条件を満足する請求項１乃至請求項５の何れか一項に記載のズームレンズ。
３．０    ＜  ｄ１２ｔ／ｄｐ  ＜  ７．０        ・・（５）
ｄ１２ｔ：望遠端における第１群と第２群の空気間隔
ｄｐ：  第３群中のプリズムの軸上光路長（プリズム厚）
【請求項７】
前記レンズ系において該折り曲げを有する固定の第３群の像側には、正の第４群、負の第５群、正の第６群、正の第７群を有することを特徴とする請求項１乃至請求項６の何れか一項に記載のズームレンズ。
【請求項８】
前記レンズ系において前記折り曲げ系を有する固定の第３群の像側には各群中最大の移動量を有する正の第４群、ズーミング中固定の第５群を有すると共に以下の条件式を満足する請求項１乃至請求項７の何れか一項に記載のズームレンズ。
３５  ＜  ｆｔ／ｆｗ  ＜  ６０        ・・（６）
ｆｔ：望遠端における全系の焦点距離
【発明の詳細な説明】
【技術分野】
【０００１】
本発明は、デジタルスチルカメラ等に好適な小型で高倍率を有するズームレンズに関し、特に所定の変倍比を確保すると共に、収納状態でレンズ全長の短縮化を図った携帯性に優れたズームレンズに関する。
【背景技術】
【０００２】
近年、固体撮像素子を用いたビデオカメラ、デジタルスチルカメラ、等の撮像装置においては、高機能化とともに装置全体の小型化がなされている。そしてそれに伴って、これらに用いる撮影光学系としては、レンズ全長が短くコンパクトでしかも高性能のズームレンズが要求されている。又、撮影領域の拡大のため３０倍以上の高変倍比を有するレンズに対するニーズが高まり高い変倍比を有しつつも従来の低倍率のカメラと同等の携帯性を備えたカメラに収納出来るズームレンズが要求されている。
【０００３】
高い倍率のズームレンズを薄いカメラボディーに収納する技術として、複数の移動群を有し途中の群に略９０度に折り曲げるプリズム等の反射素子を有する光学系が知られている。高変倍化の為に折り曲げ系の像側に負群有する構成とした例も提案されている。
物体側より正、負、正、正、負、正の６群を有し第３群に略９０度に折り曲げる反射素子を配し１０倍程度の変倍比を有するレンズ系が知られている（特許文献１参照）。
【０００４】
一方、高倍率時ズームレンズのレンズ全長を短縮しつつ望遠側のハロコマを良好に補正する為物体側より正１群、負の２群を有しつつ第１群に非球面を有する光学系が知られている（特許文献２）。
【先行技術文献】
【特許文献】
【０００５】
【特許文献１】特開２００８−１０２３９８号公報
【特許文献２】特開２０１２−４８１９９号公報
【発明の概要】
【発明が解決しようとする課題】
【０００６】
近年、カメラのコンパクト化とズームレンズの高ズーム比化の双方を達成する為に、非使用時（非撮影時）に各レンズ群の間隔を撮影状態と異なる間隔まで縮小し、カメラ本体からのレンズの突出量を少なくした所謂沈胴式のズームレンズが用いられている。
【０００７】
一方でカメラの薄型化の為ズームレンズ系の先頭レンズ群又は第２レンズ群、第３レンズ群などにプリズム、ミラー等の折り曲げ素子を配し略９０度に光路を折り曲げる折り曲げ光学系を導入し、撮影時の全長を短縮した諸該  屈曲光学系のズームレンズが知られている。
【０００８】
屈曲系のズームレンズにおいて、先頭レンズ群もしくは第２レンズ群で折り曲げた場合
折り曲げ系を有する群の径が大型化する傾向がある。
【０００９】
この為、高変倍化を行おうとすると、レンズ系全体が大型化する為、第３レンズ群などにプリズム、ミラー等の折り曲げ素子を配し略９０度に光路を折り曲げる系が考案されている。
【００１０】
特許文献１においては、物体側より正、負、正、正、負、正の６群を有し第３群に略９０度に折り曲げる反射素子を配し１０倍程度の変倍比を有するレンズ系が提案されている。広角端の半画角４０度程度で１０倍程度の変倍比が得られているが、レンズ径の増大の抑制を考慮すると各レンズ群の移動量は所定の量におさえる事が必要となりレンズ径を維持しつつ更に高変倍化するのには限界があった。又、高変倍化に伴い、望遠側における画面中心部の軸上色収差、画面周辺部のハロコマ、色コマ収差が増加する傾向があり、高変倍比と望遠側の光学性能の両立には限界があった。
【００１１】
特許文献２においては、正、負、正、正の４群を有し、第１群に非球面を有する３５倍程度の変倍比を有するレンズが提案されている。高変倍化に伴う望遠側のハロコマ収差を第１群中の正レンズの像側に非球面を施し良好な収差補正を行っている。
【００１２】
しかしながら、特許文献２では、３５倍程度の変倍比をもつ光学系が提供されるもののレンズ系の途中第３群に略９０度に折り曲げる反射素子を配しようとすると第３群がセンサー面に対して固定となる。第２群と第３群の干渉しないようにすると第１群、第２群の屈折力が強まり望遠側の軸上色収差、色コマ収差があっかする傾向がある。又、更に高倍化し４０〜５０倍の変倍比を得ようとすると、第１群で発生する色コマ収差が望遠側で拡大されて良好に収差補正を行う事が困難となる。
【００１３】
本発明の目的は、４０倍程度の変倍比を有しつつコンパクトで良好に収差補正がなされたズームレンズを提供することにある。
【課題を解決するための手段】
【００１４】
上記の目的を達成するために、本発明のズームレンズは、
物体側より正の第１群、負の第２群、第３群、後続群を有し、
第３群の像側は複数の群で構成され少なくとも１つの負群を有すると共に各群の空気間隔を変化させて変倍を行うレンズ系において、
前記第１群は少なくとも１枚の負レンズと３枚の正レンズを含み、正レンズのうち１枚は以下の条件式を満足する非球面を有する高分散硝材で構成されることを特徴とする。
【００１５】
１０  ＜  ｆ１ｈｐ／ｆ１  ＜３５        ・・・（１）
１５  ＜  ν１ｈｐ  ＜２１            ・・・（２）
ｆ１ｈｐ：第１群中の非球面を有する高分散硝材からなる正レンズの焦点距離
ν１ｈｐ：第１群中の非球面を有する高分散硝材からなる正レンズのアッベ数
ｆ１：第１群の焦点距離
更に、Ｂｅｓｔ  ｍｏｄｅ近づける為の望ましい構成は以下の条件を満足することを特徴とする。
【００１６】
更に、前記レンズ系において前記第３群はズーミング中はセンサーに対して固定のレンズ群で有ることを特徴とする。
【００１７】
更に、前記レンズ系において第１群中の高分散材からなる正レンズの像側面に非球面を有し以下の条件式を満足することを特徴とする。
【００１８】
−８×１０＾−０６    ＜  ｄ１＿０８ｙ／ｆ１＜    −２×１０＾−０７
ｄ１＿０８ｙ：有効径の８割位置における非球面のＸ座標と近軸ＲのＸ座標の差（非球面が物体側で符号はマイナス）
更に、前記レンズ系において物体側より正の第１群、負の第２群、光路を略９０度折り曲げるプリズムを含むズーミング中はセンサーに対して固定のレンズ群、を有することを特徴とする。
【００１９】
更に、前記レンズ系において、前記第１群は物体側より負の第１１レンズ、正の第１２レンズ、正の第１３レンズ、正の第１４レンズの４枚からなり、前記第４レンズを高分散硝材で構成すると共に、前記第４レンズは以下の条件式を満足することを特徴とする。
【００２０】
１５０  ＜  ｆ１４ｐ／ｆｗ  ＜  ４００
ｆ１４Ｐ：正の第１４レンズの焦点距離
ｆｗ：広角端における全系の焦点距離
更に、前記レンズ系において広角端から望遠端へのズーミング中第１群は物体側へ移動し第２群は像側へ移動し第３群は光路を略９０度折り曲げるプリズムを含むと共に以下の条件を満足することを特徴とする。
【００２１】
３．０  ＜  ｄ１２ｔ／ｄｐ  ＜  ７．０
ｄ１２ｔ：望遠端における第１群と第２群の空気間隔
ｄｐ：第３群中のプリズムの軸上光路長（プリズム厚）
更に、前記レンズ系において該折り曲げを有する固定の第３群の像側には、正の第４群、負の第５群、正の第６群、正の第７群を有することを特徴とする。
【００２２】
更に、前記レンズ系において前記折り曲げ系を有する固定の第３群の像側には各群中最大の移動量を有する正の第４群、ズーミング中固定の第５群を有すると共に以下の条件式を満足することを特徴とする。
【００２３】
３５  ＜  ｆｔ／ｆｗ  ＜  ６０  
ｆｔ：望遠端における全系の焦点距離
【発明の効果】
【００２４】
本発明によれば、前述の構成により広角端における半画角が３６°程度以上の広画角を有しつつ、４０〜５０倍程度の変倍比を有しカメラの厚み方向と横幅方向共にコンパクトで携帯性に優れたズームレンズの提供を実現できる。
【図面の簡単な説明】
【００２５】
【図１】実施例１のレンズ断面図であって、Ａ）は広角端、Ｂ）は中間、Ｃ）は望遠端
【図２】実施例２のレンズ断面図であって、Ａ）は広角端、Ｂ）は中間、Ｃ）は望遠端
【図３】実施例３のレンズ断面図であって、Ａ）は広角端、Ｂ）は中間、Ｃ）は望遠端
【図４】実施例４のレンズ断面図であって、Ａ）は広角端、Ｂ）は中間、Ｃ）は望遠端
【図５】実施例１の縦収差図であって、Ａ）は広角端、Ｂ）は中間、Ｃ）は望遠端
【図６】実施例２の縦収差図であって、Ａ）は広角端、Ｂ）は中間、Ｃ）は望遠端
【図７】実施例３の縦収差図であって、Ａ）は広角端、Ｂ）は中間、Ｃ）は望遠端
【図８】実施例４縦収差図であって、Ａ）は広角端、Ｂ）は中間、Ｃ）は望遠端
【図９】折り曲げ光学系の構成図（沈胴状態）
【図１０】折り曲げ光学系の構成図（広角端）
【図１１】折り曲げ光学系の構成図（望遠端）
【発明を実施するための形態】
【００２６】
以下に、本発明の好ましい実施の形態を、添付の図面に基づいて詳細に説明する。
［実施例１〜３］
【００２７】
以下、図１を参照して、本発明における第１の実施例の構成について説明する。図１は本発明の実施形態にかかわる実施例１の断面図である。Ａ）、Ｂ）、Ｃ）はそれぞれ広角端、中間、望遠端を示す。該３ヶ所のズーム位置においては、１、２群は増大し、２、３群間隔は減少し、３、４群間隔は減少し、４、５群は増大し、５、６群は減少し、６、７群間隔は増大する。
【００２８】
実施例１においては、第１群は負正の接合レンズ、正レンズ、正レンズの４枚構成、第２群は負、負、負、正の４枚構成、第３群は光路を略９０度に折り曲げるプリズムと負レンズの構成である。第４群は物体側より接合レンズ、絞り、像側凹の負メニス、正レンズ、凸レンズと負レンズを接合した接合レンズの６枚構成で、該接合レンズ（絞り前）を光軸と垂直方向へシフトさせて手ぶれを補正する防振機構を有する。
【００２９】
第５群は負レンズと正レンズを接合した接合レンズからなり、第６群は正負の接合レンズ、の２枚にて構成され、第７群は両凸レンズと負レンズを接合した接合レンズ、正レンズの３枚からなる。ズーミング中第３群、第５群はセンサー面に対して固定されている。
【００３０】
実施例１〜３においては、第１４レンズはアッべ数νｄ＝１８．９、部分分散比θｇＦｐｌ＝０．７０００の熱可塑性樹脂を使用している。
【００３１】
実施例４においては、第１４レンズはアッべ数νｄ＝１７．５、部分分散比θｇＦｐｌ＝０．６５９８の硝子材料を使用している。
【００３２】
実施例１〜４においてフォーカスは第５群を繰り込むか又は第７群を物体側へ繰り出す事により行う構成であるが、第２群、第６群、若しくは第４群の一部で行っても良い。
【００３３】
実施例１〜４においては、第３群内のプリズムで光路を折り曲げ、第４群以降群の光軸はカメラボディー内の横方向に展開される構成を想定している。
【００３４】
図１〜４における断面図は前記折り曲げ系を展開した展開図でしめしている。
【００３５】
第９図においては光路を折り曲げた状態の断面図をカメラボディー内に収納した状態をカメラ上方から見た図で示している。
【００３６】
第１０図、第１１図はそれぞれ広角端、望遠端の状態の図で、第９図カメラ電源をｏｆｆした時の沈胴状態を示している。
【００３７】
第９〜１１図に示す如く、広角端〜望遠端の撮影状態では第３群のプリズムは第１第２群の光軸上に配され光を折り曲げる役割を果たす。
【００３８】
カメラ電源をｏｆｆし収納状態に移行する時に、該プリズムを含む第３群はセンサーの方向に退避し、その退避したスペースに第１群、第２群が沈胴して、収納される構成となっている。
【００３９】
本実施形態においては、物体側より正の第１群、負の第２群、第３群、後群を有し、第３群の像側は複数の群で構成され少なくとも１つの負群を有すると共に各群の空気間隔を変化させて変倍を行うレンズ系としている。
【００４０】
前記第１群は少なくとも１枚の負レンズと３枚の正レンズを含み、正レンズのうち１枚は以下の条件式を満足する非球面を有する高分散硝材で構成している。
【００４１】
物体側より正の第１群、負の第２群を有する高変倍光学系において少なくとも３枚の正レンズを隣接して配置させる事により、高倍率でありながら望遠側でのコマフレアーを良好に補正する構成としている。
【００４２】
前記正レンズのうち１枚はΔθｇＦの大きな材料を用いる事により、ズーミングに伴う軸上色収差と倍率色収差の二次スペクトルの変動を良好に抑えることができる。
【００４３】
ただし、ΔθｇＦはνｄｐｌを単レンズのアッべ数、θｇＦｐｌを単レンズの部分分分散比としたとき、次式で定義するものとする。
ΔθｇＦｐｌ＝θｇＦｐｌ−（−１．６６５×１０−７・νｄｐｌ３＋５．２１３×１０−５・νｄｐｌ−５．６５６×１０−３・νｄｐｌ＋０．７２７８）・・・（７）
この時、低分散でΔθｇＦの大きな材料は高価で有る為
１５  ＜  ν１ｈｐ  ＜２１            ・・・（２）
を満足する領域に存在する材料を用いる事により安価な材料で色収差の二次スペクトルを良好に補正する事ができる。
【００４４】
しかしながら、この様な高分散材料を強いパワーの正レンズに用いると、１次の色収差があっかする為、
１０  ＜  ｆ１ｈｐ／ｆ１  ＜３５        ・・・（１)
ｆ１ｈｐ：第１群中の非球面を有する高分散硝材からなる正レンズの焦点距離
ν１ｈｐ：第１群中の非球面を有する高分散硝材からなる正レンズのアッベ数
ｆ１：第１群の焦点距離
を満足する緩いパワーの正レンズに上記高分散材料を用いる事により、４０〜５０倍程度の高倍率でありがら１次の色収差と２次スペクトルをどちらも良好に補正する事が可能となる。
【００４５】
この様な高変倍比を本発明の目的であるカメラの厚み方向、横幅方向共にコンパクトに収納出来る光学系を実現する為には、該途中折り曲げ光学系の前後での変倍分担をバランス良く配置させる事が有効な手段となる。
【００４６】
特に折り曲げ系において折り曲げプリズムが配置される前記第３群はズーミング中はセンサーに対して固定のレンズ群となる。
【００４７】
物体側に配される正の第１群、負の第２群において、主変倍群である第２群の負担は大きく前玉径を小型に維持しつつ第２群に所望の変倍分担を担わせる為には、前記第１群の焦点距離を適切に設定する必要がある。
【００４８】
４０〜５０倍程度の高倍化をしつつ第１群はパワーを強めると、望遠側において内方の色コマ収差が大きく発生する傾向がある。
【００４９】
前記レンズ系において第１群中の高分散材からなる正レンズの像側面に非球面を有し以下の条件式を満足する事により、色コマ収差を良好に補正する事ができる。
【００５０】
−８×１０＾−０６    ＜  ｄ１＿０８ｙ／ｆ１＜    −２×１０＾−０７
ｄ１＿０８ｙ：有効径の８割位置における非球面のＸ座標と近軸ＲのＸ座標の差（非球面が物体側で符号はマイナス）
即ち高分散の正レンズの像側に周辺部で正のパワーが強くなる様に非球面を施す事により、画面周辺部で主光線に対して、下線で屈折率の高い短波長側の高束の屈折力が非球面により強まる。
【００５１】
即ち高分散のベース材に周辺部で正のパワーが強くなる様に非球面を施す事により、色コマ収差を良好に補正する事が出来る。
【００５２】
又、前述のベース材を条件式（１）〜（２）のを満たす緩い正レンズとする事により、高倍率にもかかわらず１次の色収差、２次の色収差、色コマ収差を両立させる事が可能となった。
【００５３】
更に望ましい構成要件として、前記第１群の構成を前記第１群は物体側より負の第１１レンズ、正の第１２レンズ、正の第１３レンズ、正の第１４レンズの４枚からなる構成としている。
【００５４】
前記第４レンズを前述の如く高分散硝材で構成すると共に、前記第４レンズは以下の条件式を満足する緩いパワーのレンズとして構成している。
【００５５】
１５０  ＜  ｆ１４ｐ／ｆｗ  ＜  ４００
ｆ１４Ｐ：正の第１４レンズの焦点距離
ｆｗ：広角端における全系の焦点距離
該条件により高分散材料を強いパワーの正レンズに用いると、１次の色収差があっかする為、所望の広角域の画角を確保しつつ１次の色収差を良好な補正を行っている。
【００５６】
又、高変倍比を確保しつつ折り曲げの為のプリズムを適切に配置する要件として望遠域の空気間隔に対するプリズム厚を適切に設定する事により、効率的は配置とプリズム有効部を確保する構成としている。
【００５７】
前記レンズ系において広角端から望遠端へのズーミング中第１群は物体側へ移動し第２群は像側へ移動し第３群は光路を略９０度折り曲げるプリズムを含むと共に以下の条件を満足する事としている。
【００５８】
３．０  ＜  ｄ１２ｔ／ｄｐ  ＜  ７．０
ｄ１２ｔ：望遠端における第１群と第２群の空気間隔
ｄｐ：第３群中のプリズムの軸上光路長（プリズム厚）
本発明の実施形態においては折り曲げ系の像側は正の第４群、負の第５群、正の第６群、正の第７群を配している。これは前記折り曲げ系部の径、又折り曲げ後像面までの全長をコンパクトに維持しつつも所望の変倍効果を得る為の構成である。
【００５９】
前記第４群には絞りを含み、広角端より望遠端へのズーミング中物体側へ移動し折り曲げ系像側の主たる変倍分担を担うが、あまり大きな分担を４群に持たせるとズーミング移動量が増大する。
【００６０】
この為、広角端における第３群と第４群の空気間隔が大きくなる為、折り曲げ系の系が大型化してくる傾向がある。
【００６１】
そこで、負の第５群の像側に２つの正の移動群を配し、ズーミング中各群を移動させることによって変倍分担を分散させ、レンズ径の増大を抑えると共に、折り曲げ像側の全長を短く維持しつつ所望の変倍比が得られる形態としている。
【００６２】
これらの構成においてはズーミング中の倍率色収差の変動を良好に補正する為に前記第５群は正レンズと負レンズで構成し色消しを行う構成としている。
【００６３】
以上の実施形態により所望の変倍比を有しつつカメラの厚み方向、横幅方向共にコンパクトに収納出来る光学系を得ることが出来る。
【００６４】
前述の構成は特に高変倍の光学系において望遠側の色収差、コマフレアーを良好に補正する為の構成である。
【００６５】
従って、所望の変倍比を有する時に特に有効となるが、所望の変倍比とは、
３５  ＜  ｆｔ／ｆｗ  ＜  ６０
ｆｔ：望遠端における全系の焦点距
を満たす変倍比を示している。
【００６６】
この条件式の範囲外でも望遠側の色収差、コマフレアーの補正という点では前述の構成は有効であるが、変倍比が少ない場合は本発明の構成をとらなくても許容範囲内の収差補正が可能である。
【００６７】
変倍比が逆に大き過ぎる場合は本発明の構成をもってしても残存収差が許容範囲外となる。
【００６８】
次に各条件式の意味について説明する。
【００６９】
（１）式は第１群中の非球面を有する高分散硝材からなる正レンズの焦点距離を第１群の焦点距離で規格化したものである。（１）式の上限値を超えて該正レンズの焦点距離が長くなり過ぎると、望遠域における２次の色収差の補正が困難となってくる。（１）式の下現値を超えて該正レンズの焦点距離が短くなり過ぎると、望遠域における１次の色収差の補正が困難となってくるので良くない。
【００７０】
（２）式は非球面を有する高分散硝材からなる正レンズのアッベ数を規定したもので、（２）式の上限値を超えて低分散になり過ぎると、望遠側における色コマ収差の補正が不十分となってくるので良くない。（２）式の下限値を超えて高分散になり過ぎると、望遠側における軸上色収差の補正が困難となってくるので良くない。
【００７１】
（３）式は非球面を有する高分散硝材の有効径の８割位置における非球面のＸ座標と近軸ＲのＸ座標の差（非球面が物体側で符号はマイナス）を第１群の焦点距離で規格化したものである。（３）式の上限値を超えてデビエーションが小さくなり過ぎると、望遠側における色コマ収差の補正が不十分となってくるので良くない。（３）式の下現値を超えてデビエーションが大きくなり過ぎると、望遠側画面周辺部でのコマフレアーの補正が困難となってくるので良くない。
【００７２】
（４）式は正の第１４レンズの焦点距離を広角端における全系の焦点距離で規格化したもので、（４）式の上限値を超えて第１４レンズの焦点距離が長くなり過ぎると、望遠域における２次の色収差の補正が困難となってくる。（４）式の下現値を超えて第１４レンズの焦点距離が短くなり過ぎると、望遠域における１次の色収差の補正が困難となってくるので良くない。
【００７３】
（５）式は望遠端における第１群と第２群の空気間隔を第３群中のプリズムの軸上光路長（プリズム厚）で規格化したものである。（５）式の上限値を超えて第３群中のプリズムの軸上光路長（プリズム厚）が小さくなると、９０度折り曲げ時の有効部を確保する事が難しくなり、プリズム壁面でのケラレ、ゴーストが発生してくるので良くない。（５）式の下限値を超えて第３群中のプリズムの軸上光路長（プリズム厚）が大きくなり過ぎると、レンズ系全体が大型化してくるので良くない。
【００７４】
（６）式は望遠端における全系の焦点距と広角端の全系の焦点距離の比に関するもので、（６）式の上限値を超えて変倍比が大きくなり過ぎると、本実施形態の構成をもってしても色コマ残存収差が許容範囲外となる。（６）式の下限値を超えて変倍比が小さい場合は本実施形態の構成をとらなくても許容範囲内の収差補正が可能である。
【００７５】
本発明の目的をより最良に近づける為には以下の条件を満足すると更に良い。
【００７６】
１３  ＜  ｆ１ｈｐ／ｆ１  ＜２８            ・・・（１）
１６  ＜  ν１ｈｐ  ＜２０            ・・・（２）
−５×１０＾−０６    ＜  ｄ１＿０８ｙ／ｆ１＜    −５×１０＾−０７
・・・（３）
１８０  ＜  ｆ１４ｐ／ｆｗ  ＜      ３５０  ・・（４）
４．０    ＜  ｄ１２ｔ／ｄｐ  ＜      ６．０    ・・（５）
３７  ＜  ｆｔ／ｆｗ  ＜  ５２        ・・（６）
次に、各実施例の数値データを示す。各実施例の数値データにおいて、ｒは曲率半径、ｄは光軸上の面間隔、ｎｄ、νｄは光学材料のｄ線に対する屈折率、アッベ数を表している。
【００７７】
また、非球面形状は、Ｘを光軸方向の面頂点からの変異量、ｈを光軸と垂直な方向の光軸からの高さ、ｒを近軸曲率半径、Ｋを円錐定数、Ａ２、Ａ４、Ａ６、・・・を各次数の非球面形状としたとき、次式によって表される。
【００７８】
【数１】
2016102847.tif 000003
【００７９】
なお、各係数における「Ｅ±ＹＹ」は「×１０±ＹＹ」を意味している。
【００８０】
各実施例における各条件式の値を表１に示す。
【００８１】
[数値実施例１]
単位 mm
面データ
面番号       r        d      nd         vd
1         40.123    1.00   1.91082    35.3           
2         25.185    7.43   1.49700    81.5           
3         92.230    0.06                             
4         41.017    4.65   1.59282    68.6           
5        345.640    0.10                             
6         99.702    1.00   1.64040    18.9           
7*       116.024  (可変)                             
8*       422.812    0.70   1.88300    40.8           
9*         8.100    2.55                             
10         88.274    0.60   1.87174    41.0           
11         14.811    1.61                             
12        320.493    0.39   1.88300    40.8           
13         58.808    0.11                             
14         26.469    2.06   1.92286    18.9           
15*       -45.670  (可変)                             
16          ∞       9.50   1.83481    42.7           
17          ∞       0.84                             
18        -16.870    0.52   1.88300    40.8           
19        -37.124  (可変)                             
20*        11.996    1.11   1.85135    40.1           
21         12.902    2.90   1.49710    81.6           
22*       -37.021    1.26                             
23(絞り)    ∞       0.00                             
24          ∞       0.90                             
25         10.729    0.52   2.00069    25.5           
26          8.761    1.67                             
27         26.861    1.20   1.49700    81.5           
28        -42.878    0.10                             
29      -1642.260    2.80   1.59282    68.6           
30        -19.400    0.52   1.91082    35.3           
31        -30.861  (可変)                             
32*       -20.979    0.52   1.85135    40.1           
33         12.171    1.03   1.95906    17.5           
34         20.195  (可変)                             
35         18.392    4.39   1.67270    32.1           
36        -10.993    0.52   2.00330    28.3           
37       -538.772  (可変)                             
38*        50.428    2.43   1.76802    49.2           
39        -22.011    0.30   2.00272    19.3           
40        -58.898    0.20                             
41        -61.924    2.53   1.80400    46.6           
42        -14.993  (可変)                             
43          ∞       0.80   1.51633    64.1           
44          ∞       1.80                             
像面        ∞   
非球面データ
第7面
K = 0.00000e+000  A 4=-6.77097e-007  A 6=-1.21128e-009  A 8=-1.26212e-012  A10=-1.50204e-015  
第8面
K = 0.00000e+000  A 4=-3.42039e-004  A 6= 2.33043e-006  A 8= 1.14331e-009  
第9面
K = 0.00000e+000  A 4=-4.69915e-004  A 6=-5.25587e-006  A 8= 1.62604e-008  A10= 1.25880e-010  
第15面
K = 0.00000e+000  A 4=-7.54068e-005  A 6= 4.67621e-008  
第20面
K =-1.86344e+000  A 4= 1.12831e-004  A 6= 2.56783e-007  A 8=-5.95719e-009  A10= 1.23232e-010  
第22面
K = 0.00000e+000  A 4= 1.23158e-004  A 6= 2.57357e-007  
第32面
K = 0.00000e+000  A 4= 9.84528e-005  A 6= 4.03320e-007  
第38面
K = 1.19743e+001  A 4=-1.13426e-004  A 6=-1.96347e-008  
各種データ
ズーム比     48.60 
広角     中間     望遠
焦点距離       4.99    12.07   242.69  
Fナンバー      4.62    10.20     7.07  
画角          39.6    17.3     0.93  
像高           3.48     3.88     3.88  
レンズ全長   109.16   118.31   149.61  
BF             1.80     1.80     1.80  
d 7            1.20    15.97    49.63  
d15            8.71     3.08     0.72  
d19           13.12     7.58     0.63  
d31            0.30     5.83    12.79  
d34            8.58     4.52     1.82  
d37            0.80     4.58    20.24  
d42           15.86    16.14     3.19  
ズームレンズ群データ
群  始面    焦点距離  
1    1      69.19  
2    8     -10.20  
3   16     -35.44  
4   20      22.51  
5   27      24.00  
6   32     -12.43  
7   35      90.36  
8   38      16.56  
9   43       ∞    
[数値実施例２]
単位 mm
面データ
面番号       r        d      nd         vd
1         40.123    1.00   1.91082    35.3           
2         25.185    7.89   1.49700    81.5           
3         90.483    0.06                             
4         41.017    4.93   1.59282    68.6           
5        319.762    0.10                             
6         99.702    1.00   1.64040    18.9           
7*       116.814  (可変)                             
8*      1523.986    0.70   1.88300    40.8           
9*         8.389    2.67                             
10        148.966    0.60   1.87174    41.0           
11         13.676    1.55                             
12        143.516    0.39   1.88300    40.8           
13         59.037   -0.04                             
14         26.702    1.98   2.00178    19.3           
15*       -46.989  (可変)                             
16          ∞       9.50   1.83481    42.7           
17          ∞       0.84                             
18        -16.566    0.52   1.88300    40.8           
19        -37.124  (可変)                             
20*        11.906    0.76   1.85135    40.1           
21         11.802    2.90   1.49710    81.6           
22*       -35.544    1.26                             
23(絞り)    ∞       0.00                             
24          ∞       0.90                             
25         10.405    0.52   2.00069    25.5           
26          8.819    1.21                             
27         34.288    1.20   1.59282    68.6           
28        -64.259    0.10                             
29         42.843    2.80   1.48749    70.2           
30        -10.992    0.52   1.88300    40.8           
31        -21.642  (可変)                             
32*       -20.412    0.52   1.85135    40.1           
33         12.704    1.03   1.95906    17.5           
34         22.213  (可変)                             
35         16.765    3.16   1.79221    29.4           
36        -10.831    0.52   2.00330    28.3           
37         53.778  (可変)                             
38*      -105.702    2.06   1.76802    49.2           
39        -13.055    0.30   2.00272    19.3           
40        -22.360    0.20                             
41       -185.648    1.87   1.69680    55.5           
42        -16.364  (可変)                             
43          ∞       0.80   1.51633    64.1           
44          ∞       1.80                             
像面        ∞   
非球面データ
第7面
K = 0.00000e+000  A 4=-7.84201e-007  A 6=-7.92793e-010  A 8=-2.60808e-012  
第8面
K = 1.86796e+004  A 4=-3.11855e-004  A 6= 5.36637e-006  A 8=-6.26900e-008  A10= 3.92476e-010  
第9面
K = 0.00000e+000  A 4=-4.08149e-004  A 6=-1.03140e-006  
第15面
K = 0.00000e+000  A 4=-7.22096e-005  A 6=-2.75367e-007  
第20面
K =-1.86344e+000  A 4= 1.19077e-004  A 6= 2.11557e-007  A 8=-2.49389e-009  A10= 3.15358e-011  
第22面
K = 0.00000e+000  A 4= 6.96885e-005  A 6= 3.26738e-007  
第32面
K = 0.00000e+000  A 4= 4.31826e-005  A 6= 2.52201e-006  
第38面
K =-1.20094e+001  A 4=-8.40063e-005  A 6=-8.97812e-008  
各種データ
ズーム比     47.15 
広角     中間     望遠
焦点距離       5.15     7.95   242.69  
Fナンバー      3.64     5.50     7.07  
画角          37.5    26.1     0.93  
像高           3.48     3.88     3.88  
レンズ全長   104.80   108.05   145.24  
BF             1.80     1.80     1.80  
d 7            1.20     7.86    49.63  
d15            8.63     5.23     0.65  
d19           13.02    10.38     0.53  
d31            0.30     2.95    12.79  
d34            7.74     5.37     0.97  
d37            0.80     3.78    21.42  
d42           14.99    14.37     1.13  
ズームレンズ群データ
群  始面    焦点距離  
1    1      70.19  
2    8     -10.29  
3   16     -34.28  
4   20      22.10  
5   27      23.84  
6   32     -12.89  
7   35      80.47  
8   38      17.13  
9   43       ∞    
[数値実施例３]
単位 mm
面データ
面番号       r        d      nd         vd
1         40.221    1.00   1.91082    35.3           
2         25.236    7.71   1.49700    81.5           
3        114.106    0.06                             
4         41.005    4.60   1.59282    68.6           
5        311.301    0.10                             
6         99.510    1.00   1.64040    18.9           
7*       112.353  (可変)                             
8*       714.828    0.70   1.88300    40.8           
9*         8.403    3.45                             
10        165.856    0.60   1.87174    41.0           
11         13.780    1.55                             
12        152.666    0.39   1.88300    40.8           
13         58.123    0.05                             
14         26.396    2.34   2.00178    19.3           
15*       -47.581  (可変)                             
16          ∞       9.50   1.83481    42.7           
17          ∞       0.84                             
18        -16.566    0.52   1.88300    40.8           
19        -37.124  (可変)                             
20*        12.000    0.95   1.85135    40.1           
21         10.381    2.90   1.55332    71.7           
22*       -49.733    1.26                             
23(絞り)    ∞       0.00                             
24          ∞       0.90                             
25         10.416    0.52   2.00069    25.5           
26          8.912    1.10                             
27         33.798    1.20   1.59282    68.6           
28        -62.931    0.10                             
29         39.978    2.80   1.48749    70.2           
30        -10.942    0.52   1.88300    40.8           
31        -21.982  (可変)                             
32*       -23.148    0.52   1.85135    40.1           
33         13.877    1.03   1.95906    17.5           
34         23.459  (可変)                             
35         13.312    2.96   1.64769    33.8           
36        -12.921    0.52   2.00330    28.3           
37         49.079  (可変)                             
38*       730.261    1.97   1.76802    49.2           
39        -15.660    0.30   2.00272    19.3           
40        -27.500    0.20                             
41       -120.994    1.88   1.88300    40.8           
42        -17.855  (可変)                             
43          ∞       0.80   1.51633    64.1           
44          ∞       1.81                             
像面        ∞   
非球面データ
第7面
K = 0.00000e+000  A 4=-7.37105e-007  A 6=-9.86568e-010  A 8=-2.46111e-012  
第8面
K = 1.01823e+003  A 4=-2.80507e-004  A 6= 4.27112e-006  A 8=-3.05111e-008  A10= 1.08621e-010  
第9面
K = 0.00000e+000  A 4=-4.48899e-004  A 6= 1.69083e-006  
第15面
K = 0.00000e+000  A 4=-4.91868e-005  A 6=-7.11742e-007  
第20面
K =-1.86344e+000  A 4= 1.22699e-004  A 6= 2.14866e-007  A 8= 2.59818e-009  A10=-3.80501e-011  
第22面
K = 0.00000e+000  A 4= 5.71517e-005  A 6= 5.21447e-007  
第32面
K = 0.00000e+000  A 4= 4.05000e-005  A 6= 1.91881e-006  
第38面
K = 5.42337e+003  A 4=-9.69502e-005  A 6=-8.94748e-008  
各種データ
ズーム比     38.83 
広角     中間     望遠
焦点距離       5.00    11.50   194.10  
Fナンバー      3.61     6.49     7.07  
画角          38.8    18.0     1.16  
像高           3.48     3.88     3.88  
レンズ全長   104.61   111.36   141.06  
BF             1.81     1.81     1.81  
d 7            1.20    13.57    45.63  
d15            8.68     3.05     0.70  
d19           13.43     7.89     0.93  
d31            0.30     5.83    12.79  
d34            8.05     3.99     1.28  
d37            0.80     5.95    19.68  
d42           13.54    12.45     1.42  
ズームレンズ群データ
群  始面    焦点距離  
1    1      66.25  
2    8     -10.42  
3   16     -34.28  
4   20      22.56  
5   27      23.56  
6   32     -14.11  
7   35     200.00  
8   38      15.67  
9   43       ∞    
[数値実施例４]
単位 mm
面データ
面番号       r        d      nd         vd
1         39.491    1.00   1.91082    35.3           
2         25.880    7.30   1.43875    94.9           
3        121.710    0.06                             
4         39.881    4.74   1.59282    68.6           
5        373.895    0.10                             
6        113.653    1.60   1.95906    17.5           
7*       121.552  (可変)                             
8*      1123.838    0.70   1.88300    40.8           
9*         8.389    3.14                             
10        167.055    0.60   1.87174    41.0           
11         13.803    1.55                             
12        135.113    0.39   1.88300    40.8           
13         58.502    0.07                             
14         26.327    2.58   2.00178    19.3           
15*       -47.700  (可変)                             
16          ∞       9.50   1.83481    42.7           
17          ∞       0.84                             
18        -16.566    0.52   1.88300    40.8           
19        -37.124  (可変)                             
20*        11.975    0.90   1.85135    40.1           
21         10.509    2.90   1.55332    71.7           
22*       -50.264    1.26                             
23(絞り)    ∞       0.00                             
24          ∞       0.90                             
25         10.406    0.52   2.00069    25.5           
26          8.914    1.16                             
27         34.070    1.20   1.59282    68.6           
28        -63.900    0.10                             
29         40.972    2.80   1.48749    70.2           
30        -10.966    0.52   1.88300    40.8           
31        -22.076  (可変)                             
32*       -23.030    0.52   1.85135    40.1           
33         13.327    1.03   1.95906    17.5           
34         21.962  (可変)                             
35         14.301    2.91   1.64769    33.8           
36        -12.950    0.52   2.00330    28.3           
37         61.199  (可変)                             
38*       730.261    1.97   1.76802    49.2           
39        -16.256    0.30   2.00272    19.3           
40        -29.543    0.20                             
41       -320.905    1.93   1.88300    40.8           
42        -19.108  (可変)                             
43          ∞       0.30   1.51633    64.1           
44          ∞       1.60                             
45          ∞       0.50   1.51633    64.1           
46          ∞       0.21                             
像面        ∞   
非球面データ
第7面
K = 0.00000e+000  A 4=-4.08053e-007  A 6=-6.41380e-010  A 8=-1.46832e-012  
第8面
K =-1.14460e+004  A 4=-2.88335e-004  A 6= 3.55554e-006  A 8=-1.79477e-008  A10= 4.88374e-011  
第9面
K = 0.00000e+000  A 4=-4.88386e-004  A 6= 3.36486e-007  
第15面
K = 0.00000e+000  A 4=-4.32607e-005  A 6=-5.40453e-007  
第20面
K =-1.86344e+000  A 4= 1.23621e-004  A 6= 2.47541e-007  A 8= 7.68208e-011  A10= 1.79161e-011  
第22面
K = 0.00000e+000  A 4= 6.29403e-005  A 6= 4.98270e-007  
第32面
K = 0.00000e+000  A 4= 4.98821e-005  A 6= 1.93817e-006  
第38面
K = 6.42945e+003  A 4=-8.62849e-005  A 6=-9.73905e-008  
各種データ
ズーム比     38.06 
広角     中間     望遠
焦点距離       5.10     7.52   194.12  
Fナンバー      3.68     5.47     7.07  
画角          37.8    27.5     1.16  
像高           3.48     3.88     3.88  
レンズ全長   105.83   107.69   142.28  
BF             0.21     0.21     0.21  
d 7            1.20     6.46    45.63  
d15            8.99     5.58     1.00  
d19           13.56    10.91     1.07  
d31            0.30     2.95    12.79  
d34            7.76     5.39     1.00  
d37            0.80     4.15    20.32  
d42           14.29    13.31     1.53  
ズームレンズ群データ
群  始面    焦点距離  
1    1      66.35  
2    8     -10.59  
3   16     -34.28  
4   20      22.34  
5   27      23.93  
6   32     -13.59  
7   35     198.90  
8   38      15.86  
9   43       ∞    
以上、本発明の好ましい実施形態について説明したが、本発明はこれらの実施形態に限定されず、その要旨の範囲内で種々の変形及び変更が可能である。
【００８２】
【表１】
2016102847.tif 000004
【符号の説明】
【００８３】
ｄ  ｄ線、ｇ  ｇ線、△Ｍ  メリディオナル像面
【図１】
2016102847.tif 000005
【図２】
2016102847.tif 000006
【図３】
2016102847.tif 000007
【図４】
2016102847.tif 000008
【図５】
2016102847.tif 000009
【図６】
2016102847.tif 000010
【図７】
2016102847.tif 000011
【図８】
2016102847.tif 000012
【図９】
2016102847.tif 000013
【図１０】
2016102847.tif 000014
【図１１】
2016102847.tif 000015